(57)【要約】【課題】  通常は双眼鏡として使用でき、必要に応じて双眼鏡の拡大率の略２倍になる単眼鏡にもなるように形状を変形できて携帯に便利なように小さくなる双眼鏡を提供する。【解決手段】  第一の観察光学系２０と第二の観察光学系２１に回動自在に前側保持板２２０が取り付けられている。また、後側保持板２５が同様に回動自在に取り付けられている。この状態は、クリックボール２８，２９が穴２２ａ，２２ｃに係合して双眼鏡を形成している。前側軸Ａ２３を中心にして右回転させると、クリックボール２８，２９は穴２２ｂ，２２ｄにそれぞれ係合し、第一の観察光学系２０と第二の観察光学系２１が一直線上になり、高倍率の単眼鏡が形成される。【選択図】  図１
2005258373.tif 000002
【特許請求の範囲】
【請求項１】
対物光学系と接眼光学系とを備えて構成される一対の観察光学系と、
一端が前記観察光学系の一方の上面または下面に、他端が前記観察光学系の他方の上面または下面にそれぞれ回動自在に取付けられた第１の保持部材と、
前記観察光学系の一方および他方の上面または下面にそれぞれ設けられた位置保持手段と、
前記観察光学系の一方および他方の前記位置保持手段にそれぞれ係合し、前記観察光学系の一方と他方の光軸が平行であって、対物光学系の前面側が一致する第１の位置と、前記観察光学系の一方と他方の光軸が一直線になった第２の位置で前記一対の観察光学系の回動を阻止する位置保持係合手段とを備え、
前記第１の位置で双眼鏡を形成し、前記第２の位置で単眼鏡を形成することを特徴とする双眼鏡装置。
【請求項２】
一端が前記観察光学系の一方の上面または下面に、他端が前記観察光学系の他方の上面または下面にそれぞれ回動自在に取付けられる第２の保持部材を備えることにより平行四節リンクを形成し、
前記第１の位置の双眼鏡位置または第２の位置の単眼鏡位置から回動させたとき、前記観察光学系の一方と他方の光学軸は平行を維持した状態で切り替え可能に構成したことを特徴とする請求項１記載の双眼鏡装置。
【請求項３】
前記位置保持手段は、前記一対の観察光学系の上面または下面に形成した穴にクリックボールを収容した構造であり、
前記位置保持係合手段は、前記第１の保持部材に設けた第１の位置と第２の位置にそれぞれ対応する穴であり、
前記係合は、前記クリックボールを前記第１の位置と第２の位置に嵌合させることであることを特徴とする請求項１記載の双眼鏡装置。
【請求項４】
観察光学系を保持する本体部，結合穴を有する結合部ならびに前記本体部および結合部を接続する接続部とからなる第一の観察光学系と、
観察光学系を保持する本体部，前後に結合軸を有する結合部ならびに前記本体部および結合部を接続する接続部とからなる第二の観察光学系とを備え、
前記第一の観察光学系の結合穴への前記第二の観察光学系の結合軸の装着では、回動自在で、かつ所定の回動位置で回動を止める手段を有し、
前記第一の観察光学系の結合穴を前記第二の観察光学系の一方の結合軸に装着した場合、前記第一と第二の観察光学系で双眼鏡を形成し、前記第一の観察光学系を外して、該第一の観察光学系の結合穴を前記第二の観察光学系の他方の結合軸に装着した場合、前記第一と第二の観察光学系が一直線に並んで単眼鏡を形成することを特徴とする双眼鏡装置。
【発明の詳細な説明】
【技術分野】
【０００１】  本発明は、双眼鏡装置に関する。
【背景技術】
【０００２】  遠方の風景や建物等の観察対象物を拡大して見る場合には、一般に双眼鏡などが用いられる。双眼鏡は左右の観察光学系で構成されており、左右の光学系は人間の目の間隔を必要とするため横幅は大きくなってしまう。そのため携帯時にはコンパクトに小さく折り畳みができることが要求される。このような要求を満たすために横幅を小さくする双眼鏡が従来より存在していた。
図１１および図１２に従来の双眼鏡の一例を斜視図で示す。図１１は観察時の形状であり、図１２は携帯時の形状である。【０００３】  上記従来の双眼鏡は横幅を小さくすることはできても一対の観察光学系を相互につなぐ手段の部分は大きくならざるを得なかった。また、小さくした状態では使い道がなかった。
上記従来の双眼鏡は特許文献１のように変倍機能が付加されている場合には、その範囲内で拡大率を変えることが可能である。しかしながら、光学系の形状，収差の関係から変倍率を一定の大きさ以上にすることができない。
ユーザーは、その使用目的において、広い視野で拡大（低い倍率）して観察するとともに特定の部分をさらにクローズアップして観察したい場合には従来の双眼鏡では不十分である。
【特許文献１】  特開平９−１８９８３８号公報
【発明の開示】
【発明が解決しようとする課題】
【０００４】  本発明の目的は、通常は双眼鏡として使用でき、必要に応じて双眼鏡の拡大率の略２倍になる単眼鏡にもなるように形状を変形できて携帯に便利なように小さくなる双眼鏡を提供することになる。
【課題を解決するための手段】
【０００５】  上記の目的を達成するために本発明の請求項１記載の双眼鏡装置は、対物光学系と接眼光学系とを備えて構成される一対の観察光学系と、一端が前記観察光学系の一方の上面または下面に、他端が前記観察光学系の他方の上面または下面にそれぞれ回動自在に取付けられた第１の保持部材と、前記観察光学系の一方および他方の上面または下面にそれぞれ設けられた位置保持手段と、前記観察光学系の一方および他方の前記位置保持手段にそれぞれ係合し、前記観察光学系の一方と他方の光軸が平行であって、対物光学系の前面側が一致する第１の位置と、前記観察光学系の一方と他方の光軸が一直線になった第２の位置で前記一対の観察光学系の回動を阻止する位置保持係合手段とを備え、前記第１の位置で双眼鏡を形成し、前記第２の位置で単眼鏡を形成することを特徴とする。
本発明の請求項２は、請求項１記載の発明において一端が前記観察光学系の一方の上面または下面に、他端が前記観察光学系の他方の上面または下面にそれぞれ回動自在に取付けられる第２の保持部材を備えることにより平行四節リンクを形成し、前記第１の位置の双眼鏡位置または第２の位置の単眼鏡位置から回動させたとき、前記観察光学系の一方と他方の光学軸は平行を維持した状態で切り替え可能に構成したことを特徴とする。
本発明の請求項３は請求項１または２記載の発明において前記位置保持手段は、前記一対の観察光学系の上面または下面に形成した穴にクリックボールを収容した構造であり、前記位置保持係合手段は、前記第１の保持部材に設けた第１の位置と第２の位置にそれぞれ対応する穴であり、前記係合は、前記クリックボールを前記第１の位置と第２の位置に嵌合させることであることを特徴とする。
本発明の請求項４は、観察光学系を保持する本体部，結合穴を有する結合部ならびに前記本体部および結合部を接続する接続部とからなる第一の観察光学系と、観察光学系を保持する本体部，前後に結合軸を有する結合部ならびに前記本体部および結合部を接続する接続部とからなる第二の観察光学系とを備え、前記第一の観察光学系の結合穴への前記第二の観察光学系の結合軸の装着では、回動自在で、かつ所定の回動位置で回動を止める手段を有し、前記第一の観察光学系の結合穴を前記第二の観察光学系の一方の結合軸に装着した場合、前記第一と第二の観察光学系で双眼鏡を形成し、前記第一の観察光学系を外して、該第一の観察光学系の結合穴を前記第二の観察光学系の他方の結合軸に装着した場合、前記第一と第二の観察光学系が一直線に並んで単眼鏡を形成することを特徴とする。
【発明の効果】
【０００６】  上記構成によれば、通常は低倍率の双眼鏡として使用でき、さらに大きく像を見たいときは高倍率の単眼鏡とした使用できるとともに、小さくなる双眼鏡を提供できるので、携帯性を高めることができる。これにより、複数の倍率の双眼鏡を携帯する必要はなくなる。【０００７】  すなわち、本発明の請求項１よれば、対象物を観察するときは一対の観察光学系を両目で覗くことで行うとともに、さらに大きく観察したいときは一対の観察光学系を一直線上に配置して片目で覗くことにより、一対の観察光学系の各々の倍率をかけた倍率でみることができ、一直線上に配置した状態が小さくなって携帯する状態となる。【０００８】  また、本発明の請求項２によれば、一対の観察光学系を相互につなぐ手段を平行四節リンクにすることにより、常に一対の観察光学系の光軸を平行に保ったまま切り替えることができる。【０００９】  本発明の請求項４によれば、一対の観察光学系を相互に結合する手段を装脱着可能にして、対象物を観察するときは一対の観察光学系を両目で覗き、さらに大きく観察したいときは相互に結合する手段の取り付け方を変えて一対の観察光学系を一直線上に配置して片目で覗くことにより一対の観察光学系の各々の倍率をかけた倍率でみることができる。
【発明を実施するための最良の形態】
【００１０】  以下、図面を参照して本発明の実施の形態ををさらに詳しく説明する。
図１および２は、本発明による双眼鏡装置の第１の実施の形態の要部構成を示す水平断面図で、双眼観察時の状態および単眼観察時の状態をそれぞれ示している。図３は図２の縦断面図である。図１〜図６は請求項２および３に対応する実施の形態である。
この実施の形態では説明の都合上、第一観察光学系と第二観察光学系の倍率をＸとする。
図１，図２，図３において、１１は第一観察光学系の対物レンズ、１２は第一観察光学系の接眼レンズ、１３は第一観察光学系の正立プリズムＡ、１４は第一観察光学系の正立プリズムＢであり、これら部材により構成される第一観察光学系によって使用者は、対物レンズ１１で結像された像を第一観察光学系の接眼レンズ１２で拡大して観察することができる。
１５は第二観察光学系の対物レンズ、１６は第二観察光学系の接眼レンズ、１７は第二観察光学系の正立プリズムＡ、１８は第二観察光学系の正立プリズムＢであり、これら部材により構成される第二観察光学系によって使用者は、対物レンズ１５で結像された像を第二観察光学系の接眼レンズ１６で拡大して観察することができる。【００１１】  ２０および２１はそれぞれ第一観察光学系および第二観察光学系を保持する本体である。点線で記載された２２は第一観察光学系の本体２０と第二観察光学系の本体２１とをつなぐ第１の保持手段である前側保持板である。
前側保持板２２は、上保持部２２ｅ、下保持部２２ｆおよびこれら上保持部２２ｅ、下保持部２２ｆを前面側で連結する連結部２２ｇより構成され、第一観察光学系の本体２０および第二観察光学系の本体２１は、上保持部２２ｅと下保持部２２ｆによって挟まれるようにして保持される。下保持部２２ｆは第一観察光学系の本体２０の下面に固定された前側軸Ａ２３に回動自在に軸支されているとともに第二観察光学系の本体２１の下面に固定された前側軸Ｂ２４に回動自在に軸支されている。
また、上保持部２２ｅは後述のクリックボールＡ２８とＢ２９にそれぞれ嵌合するための穴２２ａ，２２ｂおよび２２ｃ，２２ｄが設けられている。後述するようにクリックボールＡ２８が穴２２ａに，クリックボールＢ２９が穴２２ｃに嵌合したときには単眼鏡が形成され、クリックボールＡ２８が穴２２ｂに，クリックボールＢ２９が穴２２ｄに嵌合したときには双眼鏡が形成される。【００１２】  点線で記載された２５は第一観察光学系の本体２０と第二観察光学系の本体２１とをつなぐ第２の保持手段である後側保持板である。後側保持板２５は長方形状の板で、第一観察光学系の本体２０の上面に固定された後側軸Ａ２６に回動自在に軸支されているとともに第二観察光学系の本体２１の上面に固定された前側軸Ｂ２７に回動自在に軸支されている。【００１３】  ２８はクリックボールＡで、第一観察光学系の本体２０の上面に形成されている穴２０ａに収容されている。クリックボールＡ２８は、クリックボールＡ２８の上部が上保持部２２ｅの下面によって横方向に押されても、飛び出さないように穴２０ａの２／３程度の深さまで入っており、クリックボールＡ２８の上部１／３は前側保持版２２の穴２２ａ，２２ｂに嵌合するようになっている。２９はクリックボールＢで第二観察光学系の本体２１の上面に形成されている穴２１ａに入っている。このクリックボールＢ２９も同様に、その上部が上保持部２２ｅの下面によって横方向に押されても、飛び出さないように穴２１ａの２／３程度の深さまで入っており、前側保持板２２の穴２２ｃ，２２ｄに嵌合するようになっている。
本実施の形態では位置保持手段は、クリックボールおよび第一観察光学系の本体２０と第二観察光学系の本体２１に設けられたクリックボールを収容する穴が対応し、位置保持係合手段は、クリックボールと嵌合する前側保持板２２の上保持部２２ｅに設けられる穴が対応する。【００１４】  図４は双眼鏡の状態にしたときの上面斜視図である。このとき、第一観察光学系の本体２０の穴２０ａに入っているクリックボールＡ２８の上部は、前側保持版２２の上保持部２２ｅの穴２２ａに、第二観察光学系の本体２１の穴２１ａに入っているクリックボールＢ２９の上部は、前側保持版２２の上保持部２２ｅの穴２２ｃにそれぞれ嵌合して第一観察光学系の光軸と第二観察光学系の光軸が平行になるように保持されている。このとき接眼レンズから覗くと倍率Ｘで対象物を観察することができる。【００１５】  図１において前側軸Ａ２３を中心にして前側保持板２２を右回転させると第一観察光学系の光軸と第二観察光学系の光軸を平行に保ったまま変形する。図５に変形途中の状態を示す。【００１６】  図６は単眼鏡に形状変形したときの上面斜視図である。このときクリックボールＡ２８は前側保持版２２の上保持部２２ｅの穴２２ｂに、クリックボールＢ２９は前側保持版２２の上保持部２２ｅの穴２２ｄにそれぞれ嵌合し第一観察光学系の光軸と第二観察光学系の光軸を一直線上にするように保持されている。このとき第一観察光学系の接眼レンズから覗くと倍率Ｘ×Ｘの大きさで対象物を観察することができる。【００１７】  図７および８は本発明の第２の実施の形態を示す上面斜視図で、双眼鏡状態と単眼鏡状態をそれぞれ示している。請求項１および３に対応する実施の形態で、一つの保持部材を用いた例である。第一の観察光学系の光軸と第二観察光学系の光軸は常に平行にはならない状態で各々のクリック位置にまで移動して使用するものである。
３０および３１はそれぞれ第一観察光学系および第二観察光学系を保持する本体である。第一観察光学系３０および第二観察光学系３１の下面中央にそれぞれ図示しない軸が固定されている。３２は上保持部３２ａ，下保持部３２ｂおよびこれらを繋ぐ連結部３２ｃより構成され、第一観察光学系３０および第二観察光学系３１は上保持部３２ａ，下保持部３２ｂによって挟まれるように保持される。【００１８】  下保持部３２ｂは第一観察光学系の本体３０の下面に固定された軸に回動自在に軸支されているとともに第二観察光学系の本体３１の下面に固定された軸に回動自在に軸支されている。
また、上保持部３２ａは第一観察光学系の本体３０および第二観察光学系３１の中央上部にそれぞれ設けられた穴に収容されているクリックボールに、嵌合するための穴３３ａ，３３ｂおよび３３ｃ，３３ｄが設けられている。クリックボールが穴３３ｂと穴３３ｄに嵌合したときには図７に示すように双眼鏡が形成され、クリックボールが穴３３ａと穴３３ｃに嵌合したときには図８に示すように単眼鏡が形成される。【００１９】  図９および図１０は本発明の第３の実施の形態を示す上面斜視図で、双眼鏡状態と単眼鏡状態を示している。請求項４に対応する実施の形態で、装脱着により双眼鏡状態と単眼鏡状態を切り替える例である。
４０は第一の観察光学系で、観察光学系を保持する本体部４０ａ，支持部４０ｂおよび結合部４０ｃが一体に構成されている。結合部４０ｃは、前後に双眼鏡状態を形成する結合軸４０ｅと単眼鏡状態を形成する結合軸４０ｄを備えている。
４１は第二の観察光学系で、観察光学系を保持する本体部４１ａ，支持部４１ｂおよび結合部４１ｃが一体に構成されている。結合部４１には結合軸４０ｄおよび４０ｅに回動自在に装脱着できる結合穴４１ｄを有している。【００２０】  結合軸４０ｅおよび結合軸４０ｄの外周面には双眼鏡状態を形成する位置およびに単眼鏡状態を形成する位置にそれぞれ穴（図示されていない）が設けられている。一方、結合穴４１ｄの内壁には上部を少し突出させた状態でクリックボールを埋め込んである。装着時には観察光学系の一方を回転させることにより、上記穴とクリックボールが嵌合して位置決めできる。なお、強い力で観察光学系の一方を回転させて引き抜くことにより、２つの観察光学系を外すことができる。
図９は第一観察光学系４０の結合軸４０ｅに第二観察光学系４１の結合穴４１ｄに装着し回転させてクリック固定された状態を示しており、倍率Ｘの双眼鏡として使用できる。また、図１０は第二観察光学系４１を第二観察光学系４１の結合軸４０ｅから外して、結合軸４０ｄに差し込み回転して第一観察光学系４０の光軸と第二観察光学系４１の光軸を一直線上になった位置にクリック固定された状態を示しており倍率２Ｘの単眼鏡として使用できる。【００２１】  以上、第１および第２の実施の形態では、第１の保持手段の軸支する部分を第一および第二観察光学系の下面に設けた例を示したが、第一および第二観察光学系の上面に設けてもよい。また、位置保持係合手段を第１の保持手段に設けた例を示したが、他の部材に設けることも可能である。また、位置保持手段を第一および第二観察光学系の上面に設けた例を示したが、第一および第二観察光学系の下面に設けてもよい。かかる場合には位置保持係合手段は第１の保持手段または他の部材の下側部材に設けることとなる。さらに第２の保持手段を第一および第二観察光学系の上面に設けた例について示したが、第一および第二観察光学系の上面に設けてもよい。
第３の実施の形態では、位置付け手段としてクリックと穴を嵌合させる例を示したが、他の手段でその位置決めを行なってもよい。
本説明においてはピント合わせ機構と視度調節機構を省略したがこれらの機構は従来の技術で簡単に構成できる。
【産業上の利用可能性】
【００２２】  一つ双眼鏡で、二つの倍率が切り替えられるとともに携帯時には小さくすることができる望遠鏡装置を実現できる。
【図面の簡単な説明】
【００２３】
【図１】  本発明による双眼鏡装置の第１の実施の形態の要部構成を示す水平断面図で、双眼観察時の状態を示している。
【図２】  図１の第１の実施の形態を示す水平断面図で、単眼観察時の状態を示している。
【図３】  図２の縦断面図である。
【図４】  図１の双眼観察時の上面斜視図である。
【図５】  図１の変形途中の状態の上面斜視図である。
【図６】  図１の単眼観察時の上面斜視図である。
【図７】  本発明による双眼鏡装置の第２の実施の形態の双眼観察時の上面斜視図である。
【図８】  図７の単眼観察時の上面斜視図である。
【図９】  本発明による双眼鏡装置の第３の実施の形態の双眼観察時の上面斜視図である。
【図１０】  図９の単眼観察時の上面斜視図である。
【図１１】  従来の双眼鏡装置の双眼観察時の上面斜視図である。
【図１２】  従来の双眼鏡装置の携帯時の上面斜視図である。
【符号の説明】
【００２４】  １１，４２  第一観察光学系の対物レンズ
１２，４３  第一観察光学系の接眼レンズ
１３  第一観察光学系の正立プリズムＡ
１４  第一観察光学系の正立プリズムＢ
１５  第二観察光学系の対物レンズ
１６  第二観察光学系の接眼レンズ
１７  第二観察光学系の正立プリズムＡ
１８  第二観察光学系の正立プリズムＢ
２０，３０  第一観察光学系の本体
２１，３１  第二観察光学系の本体
２２  前側保持版
２３  前側軸Ａ
２４  前側軸Ｂ
２５  後側保持板
２６  後側軸Ａ
２７  後側軸Ｂ
２８  クリックボールＡ
２９  クリックボールＢ
４０  第一観察光学系
４１  第二観察光学系
【図１】
2005258373.tif 000003
【図２】
2005258373.tif 000004
【図３】
2005258373.tif 000005
【図４】
2005258373.tif 000006
【図５】
2005258373.tif 000007
【図６】
2005258373.tif 000008
【図７】
2005258373.tif 000009
【図８】
2005258373.tif 000010
【図９】
2005258373.tif 000011
【図１０】
2005258373.tif 000012
【図１１】
2005258373.tif 000013
【図１２】
2005258373.tif 000014